(57)【要約】【課題】回転導波管３０の回転によって負荷側のインピーダンスが大きく変化しかねない場合においても、マイクロ波発生手段２６側のインピーダンスと整合させて効率的に加熱する。【解決手段】回転導波管３０の先端３１が右向きのときは開口４１からのマイクロ波により、コーナー向きのときは先端３１からのマイクロ波により、マイクロ波発生手段側のインピーダンスと負荷側のインピーダンスを整合させる構成としている。これによって、回転中に整合させる条件を増やすことができるので、適切に選択、設計することにより、効率的な加熱ができる。【選択図】図１
2007141538.tif 000002
【特許請求の範囲】
【請求項１】
被加熱物を収納する加熱室と、前記加熱室の底面に設けた結合孔と、マイクロ波を発生させるマイクロ波発生手段と、前記マイクロ波発生手段により発生したマイクロ波を前記結合孔を介して前記加熱室内に導く主導波管と、前記結合孔上に配され前記結合孔を中心に回転する回転導波管と、前記回転導波管の上面に設けた開口とを有し、前記開口からのマイクロ波により前記回転導波管の特定の向きで前記マイクロ波発生手段側のインピーダンスと負荷側のインピーダンスを整合させる構成としたマイクロ波加熱装置。
【請求項２】
開口からのマイクロ波によっては整合しない回転導波管の向きにおいて、前記回転導波管の先端からのマイクロ波により整合させる構成とした請求項１に記載のマイクロ波加熱装置。
【請求項３】
加熱室の底面を略長方形状とし、回転導波管の先端が前記加熱室の壁面を向く場合には開口からのマイクロ波と先端からのマイクロ波のいずれか一方により整合させ、前記回転導波管の先端が前記加熱室のコーナーを向く場合には他方により整合させる構成とした請求項２に記載のマイクロ波加熱装置。
【請求項４】
開口は少なくとも二つあり、第一の開口からのマイクロ波により特定の向きで整合し、第二の開口からのマイクロ波により他の特定の向きで整合させる構成とした請求項１に記載のマイクロ波加熱装置。
【請求項５】
第一の開口からのマイクロ波および第二の開口からのマイクロ波のいずれによっても整合しない回転導波管の向きにおいて、前記回転導波管の先端からのマイクロ波により整合させる構成とした請求項４に記載のマイクロ波加熱装置。
【請求項６】
加熱室の底面を略長方形状とし、回転導波管の先端が前記加熱室の長手方向の壁面を向く場合には第一の開口からのマイクロ波と第二の開口からのマイクロ波と先端からのマイクロ波のいずれか一つにより整合させ、前記回転導波管の先端が前記加熱室の短手方向の壁面を向く場合には他の一つにより整合させ、前記回転導波管の先端が前記加熱室のコーナーを向く場合には残りの一つにより整合させる構成とした請求項５に記載のマイクロ波加熱装置。
【請求項７】
被加熱物が水２リットルの場合に整合させる構成とした請求項１〜６のいずれか１項に記載のマイクロ波加熱装置。
【請求項８】
被加熱物がごはん一杯の場合に整合させる構成とした請求項１〜６のいずれか１項に記載のマイクロ波加熱装置。
【発明の詳細な説明】
【技術分野】
【０００１】
本発明は、被加熱物をマイクロ波で加熱する加熱装置に関するものである。
【背景技術】
【０００２】
代表的なマイクロ波加熱装置である電子レンジは、代表的な被加熱物である食品を直接的に加熱できるので、なべや釜を準備する必要がない簡便さでもって生活上の不可欠な機器になっている。
【０００３】
特にオーブン機能やスチーム機能を有する電子レンジの形状は、マイクロ波が伝搬する加熱室のうち食品を収納する空間の大きさが、幅方向寸法および奥行き方向寸法がおおよそ３００〜４００ｍｍ前後、高さ方向寸法がおおよそ２００ｍｍ前後と大型化してきた。
【０００４】
特に近年は、食材を収納する空間の底面をフラットにし、さらに幅寸法を４００ｍｍ以上として奥行き寸法よりも比較的大きくし、食器を複数個並べて加熱できるように利便性を高めた横幅が広い加熱室形状を持った製品が実用化されている。
【０００５】
図８、図９は従来の代表的な電子レンジの構成である。図８は右から見た断面図、図９は上から見た断面図である。
【０００６】
底面がフラットな電子レンジの場合、食品を置く載置台１よりも下側からマイクロ波を供給するために、代表的なマイクロ波発生手段であるマグネトロン２から発生したマイクロ波を加熱室３の底面に設けた結合孔４を介して加熱室３内に導く主導波管５と、結合孔４上に配されて結合孔４を中心に回転する回転導波管６を有し、回転により回転導波管６の先端７、８から放射されるマイクロ波の向きを変えながら加熱室３内に放射することで加熱の均一化をはかっている。
【０００７】
回転導波管６は、結合孔４を貫通して主導波管５と結合する結合軸９と、結合軸９に接続された導波部１０からなり、導波部１０は少なくとも結合軸９をはさんで対向する二辺を折り曲げた曲げ部１１、１２を有する構成である。曲げ部１１、１２により加熱室３底面との間の隙間が狭くなるので、曲げ部１１、１２方向にはマイクロ波が伝播しにくくなり、曲げ部１１、１２の無い開放部１３、１４の方向に主としてマイクロ波を伝送させることになる。
【０００８】
これはあたかも導波部１０上面と加熱室３底面とがＨ面を成し、曲げ部１１、１２の垂直面がＥ面を成す導波管のように振舞うと考えられる。よってマイクロ波は先端７、８の方向に進行し、開放部１３、１４から主として水平方向に放射される。曲げ部１１、１２間の距離Ａ、Ｂを半波長（２４５０ＭＨｚのマイクロ波では約６０ｍｍ）よりも長くするとマイクロ波は伝送されるが、より距離が長いＡ側、即ち先端７からの方が伝送される割合は多い。
【０００９】
回転導波管６より加熱室３内に放射されたマイクロ波は拡散するがその多くは先端の前方の壁面で反射するなどして、最終的には食品に吸収される。このとき食品の加熱分布はどうしても先端７側の加熱が強くなりがちなので、回転導波管を回転させることにより均一化をはかる必要がある。一般的には、結合軸９にモータ１５の駆動軸１６を勘合させて回転させることにより、容易に回転可能であり回転導波管と呼ばれる所以である。
【００１０】
ちなみにここでは回転導波管と回転アンテナを以下のように区別する。回転導波管は前
述の通り曲げ部により導波管のようなＨ面とＥ面を形成するものであり、開放部の方向にマイクロ波を進行させるものである。
【００１１】
一方回転アンテナは結合軸と接続されるものが折り曲げ部の無い平板であったり、平板に開口を有したり、一部折り曲げ部を有しはするものの対向しない構成であったり、いわゆる導波管のようなＨ面とＥ面を形成できないものとする。これにより回転アンテナは、導波管のようにマイクロ波の進行方向を規制されることが無いので、どこからでも上向きに放射されるので、回転導波管とは異なり水平方向への放射が少なくなり、主として上向きに放射されることになる。
【００１２】
特に結合軸と接続されるものが円形の平板で、開口を有する構成が多く見られるが、マイクロ波は開口からあるいは円形の周囲から上向きに放射されることになり、食品の底部に集中しやすく、結果的に食品の底部が熱くなる傾向がある。たとえば図１０、１１のような構成で、図１０は右から見た断面図、図１１は上から見た断面図である。回転アンテナ１７は円形の平板１８に開口１９を有する構成である。
【００１３】
また回転導波管については、図１２のように三方向以上に分岐させることで加熱効率の向上と分布の均一化をはかるものがある。図１２は上から見た断面図であり、回転導波管２０は三方向に分岐し、それぞれが異なる大きさの開口２１、２２、２３を有している。
【００１４】
分岐後の幅Ｃ、Ｄ、Ｅはそれぞれが半波長以上の長さを有しているため回転導波管２０全体の形状が大きくなるが、回転しても正方形の加熱室２４の底面に収めるように構成している。この場合、回転導波管２０が回転しても、主導波管５と回転導波管２０の結合を常に良い状態に維持するという効果がある（例えば、特許文献１参照）。
【特許文献１】特開２０００−３５３５８９号公報
【発明の開示】
【発明が解決しようとする課題】
【００１５】
しかしながら、前記従来の構成では、まず回転アンテナでは食品の底部が熱くなり過ぎるような加熱ムラが起こりやすい傾向があった。
【００１６】
一方、回転導波管では壁面での反射を利用して均一化するので加熱ムラは少なくなるが、壁面までの距離の変化により加熱効率が悪くなる傾向があった。なぜならば加熱室は略直方体（水平方向には長方形）であり、回転導波管が回転すると、開放部の先端が対向する部位が壁面の中央になったり、二つの壁面が接続されるコーナー部になったり、刻々と変化する。
【００１７】
結局回転導波管の開放部の先端が壁面の中央を向くときが先端と壁面までの距離が最短となり、二つの壁面が接続されるコーナー部を向くときは先端と壁面までの距離が最長となる。壁面までの距離の変化は、マグネトロンから見た負荷側のインピーダンスの変化につながるため、マグネトロンから放射されるマイクロ波のうちどれだけがマグネトロンに戻るかといういわゆる反射量も変化すると考えられる。たとえば距離が最短のときにマグネトロン側のインピーダンスと負荷側のインピーダンスが整合していると、反射量が小さくて効率的な加熱ができることになる。
【００１８】
しかし、距離が最長のときには負荷側のインピーダンスが大きく変化してマグネトロン側のインピーダンスとの整合がずれて、反射量が大きくなり、効率が悪くなると考えられる。よって回転導波管の回転中に常に効率的な加熱をすることは難しい。
【００１９】
本発明は、前記従来の課題を解決するもので、回転導波管の回転によって壁面までの距
離が変わって負荷側のインピーダンスが大きく変化しかねない場合においても、マイクロ波発生手段側のインピーダンスと整合させて効率的な加熱ができるマイクロ波加熱装置を提供することを目的とする。
【課題を解決するための手段】
【００２０】
前記従来の課題を解決するために、本発明のマイクロ波加熱装置は、被加熱物を収納する加熱室と、前記加熱室の底面に設けた結合孔と、マイクロ波を発生させるマイクロ波発生手段と、前記マイクロ波発生手段により発生したマイクロ波を前記結合孔を介して前記加熱室内に導く主導波管と、前記結合孔上に配され前記結合孔を中心に回転する回転導波管と、前記回転導波管の上面に設けた開口とを有し、前記開口からのマイクロ波により前記回転導波管の特定の向きで前記マイクロ波発生手段側のインピーダンスと負荷側のインピーダンスを整合させる構成としている。
【００２１】
これによって、回転導波管の先端からだけでなく回転導波管の上面に設けた開口からもマイクロ波を放射することができ、従来のように回転導波管の先端からのマイクロ波によってのみマイクロ波発生手段側のインピーダンスと負荷側のインピーダンスを整合させるだけではなく、開口からのマイクロ波によってもマイクロ波発生手段側のインピーダンスと負荷側のインピーダンスを整合させることができる。
【００２２】
よって整合させる条件を増やすことができるので、適切に選択、設計することにより、回転導波管の回転によって負荷側のインピーダンスが大きく変化しかねない場合においても、マイクロ波発生手段側のインピーダンスと整合させて効率的な加熱ができる。
【発明の効果】
【００２３】
本発明のマイクロ波加熱装置によれば、回転導波管の先端からだけでなく回転導波管の上面に設けた開口からもマイクロ波を放射することができ、従来のように回転導波管の先端からのマイクロ波によってのみマイクロ波発生手段側のインピーダンスと負荷側のインピーダンスを整合させるだけではなく、開口からのマイクロ波によってもマイクロ波発生手段側のインピーダンスと負荷側のインピーダンスを整合させることができる。
【００２４】
よって整合させる条件を増やすことができるので、適切に選択、設計することにより、回転導波管の回転によって負荷側のインピーダンスが大きく変化しかねない場合においても、マイクロ波発生手段側のインピーダンスと整合させて効率的な加熱ができる。
【発明を実施するための最良の形態】
【００２５】
第１の発明のマイクロ波加熱装置は、被加熱物を収納する加熱室と、前記加熱室の底面に設けた結合孔と、マイクロ波を発生させるマイクロ波発生手段と、前記マイクロ波発生手段により発生したマイクロ波を前記結合孔を介して前記加熱室内に導く主導波管と、前記結合孔上に配され前記結合孔を中心に回転する回転導波管と、前記回転導波管の上面に設けた開口とを有し、前記開口からのマイクロ波により前記回転導波管の特定の向きで前記マイクロ波発生手段側のインピーダンスと負荷側のインピーダンスを整合させる構成としている。
【００２６】
これによって、回転導波管の先端からだけでなく回転導波管の上面に設けた開口からもマイクロ波を放射することができ、従来のように回転導波管の先端からのマイクロ波によってのみマイクロ波発生手段側のインピーダンスと負荷側のインピーダンスを整合させるだけではなく、開口からのマイクロ波によってもマイクロ波発生手段側のインピーダンスと負荷側のインピーダンスを整合させることができる。よって整合させる条件を増やすことができるので、適切に選択、設計することにより、回転導波管の回転によって負荷側のインピーダンスが大きく変化しかねない場合においても、マイクロ波発生手段側のインピ
ーダンスと整合させて効率的な加熱ができる。
【００２７】
第２の発明のマイクロ波加熱装置は、特に第１の発明において、開口からのマイクロ波によっては整合しない回転導波管の向きにおいて、前記回転導波管の先端からのマイクロ波により整合させる構成としている。
【００２８】
これによって、回転導波管のある特定の向きでは開口からのマイクロ波によって整合し、他の向きでは先端からのマイクロ波により整合するので、回転中に従来の二倍の割合で整合させることができ、効率的な加熱ができる。
【００２９】
第３の発明のマイクロ波加熱装置は、特に第２の発明において、加熱室の底面を略長方形状とし、回転導波管の先端が前記加熱室の壁面を向く場合には開口からのマイクロ波と先端からのマイクロ波のいずれか一方により整合させ、前記回転導波管の先端が前記加熱室のコーナーを向く場合には他方により整合させる構成としている。
【００３０】
これによって、回転導波管から壁面までの距離に関して、距離が最も近くなる壁面向きと、距離が最も遠くなるコーナー向きとの両方で整合させることができるので、回転導波管のほとんどの向きで整合させることができ、効率的な加熱ができる。
【００３１】
第４の発明のマイクロ波加熱装置は、特に第１の発明において、開口は少なくとも二つあり、第一の開口からのマイクロ波により特定の向きで整合し、第二の開口からのマイクロ波により他の特定の向きで整合させる構成としている。
【００３２】
これによって、より一層整合させる条件を増やすことができるので、より効率的な加熱ができる。
【００３３】
第５の発明のマイクロ波加熱装置は、特に第４の発明において、第一の開口からのマイクロ波および第二の開口からのマイクロ波のいずれによっても整合しない回転導波管の向きにおいて、前記回転導波管の先端からのマイクロ波により整合させる構成としている。
【００３４】
これによって、第一の開口、第二の開口、先端の三つの手段によって回転中に整合させることになるので、従来の三倍の割合で整合させることができ、より効率的な加熱ができる。
【００３５】
第６の発明のマイクロ波加熱装置は、特に第５の発明において、加熱室の底面を略長方形状とし、回転導波管の先端が前記加熱室の長手方向の壁面を向く場合には第一の開口からのマイクロ波と第二の開口からのマイクロ波と先端からのマイクロ波のいずれか一つにより整合させ、前記回転導波管の先端が前記加熱室の短手方向の壁面を向く場合には他の一つにより整合させ、前記回転導波管の先端が前記加熱室のコーナーを向く場合には残りの一つにより整合させる構成としている。
【００３６】
これによって、回転導波管から壁面までの距離に関して、距離が最も近くなる長手方向の壁面向きと、それよりは少し遠い短手方向の壁面向きと、距離が最も遠くなるコーナー向きとのすべてで整合させることができるので、回転導波管のほとんどの向きで整合させることができ、効率的な加熱ができる。
【００３７】
第７の発明のマイクロ波加熱装置は、特に第１から第６の発明において、被加熱物が水２リットルの場合に整合させる構成としている。
【００３８】
これによって、被加熱物の材質、形状、分量によって負荷側のインピーダンスが変わる
ので整合状態も変化するが、電子レンジの高周波出力は水２リットルを負荷として測定されるので、水２リットルに整合させることにより、高周波出力を高くすることができる。
【００３９】
第８の発明のマイクロ波加熱装置は、特に第１から第６の発明において、被加熱物がごはん一杯の場合に整合させる構成としている。
【００４０】
これによって、被加熱物の材質、形状、分量によって負荷側のインピーダンスが変わるので整合状態も変化するが、一般家庭で使用頻度が高いごはん一杯に整合させることにより、実際的なメニューでの効率的な加熱ができる。
ことができる。
【００４１】
以下、本発明の実施の形態について、図面を参照しながら説明する。なお、この実施の形態によって本発明が限定されるものではない。
【００４２】
（実施の形態１）
図１から図３は本発明に係る代表的なマイクロ波加熱装置である電子レンジの構成図で、図１、図２は上から見た断面図、図３は右から見た断面図である。
【００４３】
本実施の形態は、底面がフラットな電子レンジであり、食品を置く載置台２５よりも下側からマイクロ波を供給するために、代表的なマイクロ波発生手段であるマグネトロン２６から発生したマイクロ波を加熱室２７の底面に設けた結合孔２８を介して加熱室２７内に導く主導波管２９と、結合孔２８上に配されて結合孔２８を中心に回転する回転導波管３０を有し、回転により回転導波管３０の先端３１、３２から放射されるマイクロ波の向きを変えながら加熱室２７内に放射することで加熱の均一化をはかっている。
【００４４】
回転導波管３０は、結合孔２８を貫通して主導波管２９と結合する結合軸３３と、結合軸３３に接続された導波部３４からなり、導波部３４は結合軸３３をはさんで対向する二辺を折り曲げた曲げ部３５、３６を有する構成である。
【００４５】
曲げ部３５、３６により加熱室２７底面との間の隙間が狭くなるので、曲げ部３５、３６方向にはマイクロ波が伝播しにくくなり、曲げ部３５、３６の無い開放部３７、３８の方向に主としてマイクロ波を伝送させることになる。これはあたかも導波部３４上面と加熱室２７底面とがＨ面を成し、曲げ部３５、３６の鉛直方向の面がＥ面を成す導波管のように振舞うと考えられる。
【００４６】
よってマイクロ波は先端３１、３２の方向に進行し、開放部３７、３８から主として水平方向に放射される。曲げ部３５、３６間の距離Ｆ、Ｇはいずれも半波長よりも長いが、より距離が長いＦ側、即ち先端３１からの方が、マイクロ波を放射する割合が多い。
【００４７】
回転導波管３０より加熱室２７内に放射されたマイクロ波は拡散するがその多くは先端の前方の壁面で反射するなどして、最終的には食品に吸収される。このとき食品の加熱分布はどうしても先端３１側の加熱が強くなりがちなので、回転導波管を回転させることにより均一化をはかる必要がある。本実施の形態では、結合軸３３にモータ３９の駆動軸４０を勘合させて回転させている。
【００４８】
また回転導波管３０の導波部３４には、開口４１を有している。開口４１からのマイクロ波により、回転導波管３０の先端３１から加熱室２７の壁面までの距離が短くなる図１の向き（加熱室２７の右壁面向き）において、被加熱物（図示せず）が水２リットルの場合に、マグネトロン２６側のインピーダンスと負荷（水２リットル）側のインピーダンスを整合させる構成としている。
【００４９】
また駆動軸４０（および結合軸３３）を加熱室の左右対称の位置に設けることで、左壁面向きでも壁面までの距離が同じになるので整合させることができる。同様に駆動軸４０（および結合軸３３）を加熱室の前後対称の位置に設けることで、前向きや後壁面向きでも距離が同じになるので整合させることができる。即ち図１の向きを角度０度とおいて、０度、９０度、１８０度、２７０度で整合させることができる。
【００５０】
このとき、回転導波管３０の先端３１から加熱室２７の壁面までの距離が最も長くなる図２の向き（加熱室２７の右後ろコーナー向き、約４５度）になると、開口４１からのマイクロ波が壁面に到達する距離が極端に変わり、マグネトロン２６側のインピーダンスと負荷（水２リットル）側のインピーダンスが整合しなくなる。
【００５１】
そこで、このような開口４１からのマイクロ波によっては整合しない回転導波管の向きにおいては、回転導波管の先端３１からのマイクロ波により整合させる構成としている。
【００５２】
これにより、対称位置となる約４５度、約１３５度、約２２５度、約３１５度でも整合させることができる。
【００５３】
以上本実施の形態では、開口４１からのマイクロ波により回転導波管３０の特定の向きでマイクロ波発生手段側のインピーダンスと負荷側のインピーダンスを整合させる構成としている。
【００５４】
これによって、回転導波管３０の先端３１からだけでなく回転導波管３１の上面に設けた開口４１からもマイクロ波を放射することができ、従来のように回転導波管３０の先端からのマイクロ波によってのみマイクロ波発生手段側のインピーダンスと負荷側のインピーダンスを整合させるだけではなく、開口４１からのマイクロ波によってもマイクロ波発生手段側のインピーダンスと負荷側のインピーダンスを整合させることができる。
【００５５】
よって整合させる条件を増やすことができるので、適切に選択、設計することにより、回転導波管の回転によって負荷側のインピーダンスが大きく変化しかねない場合においても、マイクロ波発生手段側のインピーダンスと整合させて効率的な加熱ができる。本実施の形態のように回転導波管のような回転体を円ではない形状の加熱室で使用する場合は、壁面までの距離が一定にならないので有効である。
【００５６】
特に、開口４１からのマイクロ波によっては整合しない回転導波管３０の向きにおいて、回転導波管３０の先端３１からのマイクロ波により整合させる構成としているので、回転中に従来の二倍の割合で整合させることができ、効率的な加熱ができる。
【００５７】
また、加熱室２７の底面を略長方形状とし、回転導波管３０の先端が加熱室２７の壁面を向く場合には開口４１からのマイクロ波により整合させ、回転導波管３０の先端３１が加熱室２７のコーナーを向く場合には先端３１からのマイクロ波により整合させる構成としているので、回転導波管３０から壁面までの距離に関して、距離が最も近くなる壁面向きと、距離が最も遠くなるコーナー向きとの両方で整合させることができるので、回転導波管３０のほとんどの向きで整合させることができ、効率的な加熱ができる。
【００５８】
なお、本実施の形態とは逆に、回転導波管３０の先端が加熱室２７の壁面を向く場合には先端３１からのマイクロ波により整合させ、回転導波管３０の先端３１が加熱室２７のコーナーを向く場合には開口４１からのマイクロ波により整合させる構成としてもよい。
【００５９】
さらに、被加熱物の材質、形状、分量によって負荷側のインピーダンスが変わるので整
合状態も変化するが、被加熱物が水２リットルの場合に整合させる構成としておけば、電子レンジの高周波出力は水２リットルを負荷として測定されるので、高周波出力を高くすることができる。
【００６０】
なお加熱室の底面形状が正方形でなく長方形の場合には、回転導波管３０の先端３１が前向き（および後向き）時の壁面までの距離と、左向き（および右向き）時の壁面までの距離が異なるが、このような場合は、両者の中間の距離に整合させる構成としても良い。ある程度は双方とも整合することが期待できる。
【００６１】
（実施の形態２）
図４から図７は電子レンジの構成図で、図４は右から見た断面図、図５から図７は上から見た断面図である。本実施の形態においては、回転導波管３０の導波部３４は結合軸３３をはさんで対向する二辺を折り曲げた曲げ部４２、４３だけでなくもう一辺を折り曲げた曲げ部４４を有し、唯一の先端４５側にのみ開放部４６を形成してマイクロ波を放射させている。もちろん距離Ｈは半波長よりも長いものである。
【００６２】
また回転導波管３０の導波部３４には、第一の開口４７、第二の開口４８を有している。さらに図５から図７に示すように加熱室２７の底面は横長の長方形状である。
【００６３】
さて被加熱物（図示せず）がごはん一杯の場合、まず図５のように回転導波管３０の先端４５が加熱室２７の右壁面を向くときは、第一の開口４７からのマイクロ波によってマグネトロン２６側のインピーダンスと負荷（ごはん一杯）側のインピーダンスを整合させる構成としている。
【００６４】
また駆動軸４０（および結合軸３３）を加熱室の左右対称の位置に設けることで、左壁面向きでも壁面までの距離が同じになるので整合させることができる。即ち図５の向きを角度０度とおいて、０度、１８０度で整合させることができる。
【００６５】
次に図６のように回転導波管３０の先端４５が加熱室２７の後壁面を向くときは、図５と比べると壁面までの距離が短くなり、第一の開口４７からのマイクロ波ではマグネトロン２６側のインピーダンスと負荷（水２リットル）側のインピーダンスが整合しなくなる。
【００６６】
そこで、この向きにおいては、第二の開口４８からのマイクロ波によってマグネトロン２６側のインピーダンスと負荷（ごはん一杯）側のインピーダンスを整合させる構成としている。また駆動軸４０（および結合軸３３）を加熱室の前後対称の位置に設けることで、前向きでも壁面までの距離が同じになるので整合させることができる。即ち、９０度、２７０度で整合させることができる。
【００６７】
また図７のように回転導波管３０の先端４５が加熱室２７の右後ろコーナーを向くときは、図５、図６と比べてコーナーまでの距離が極端に長いので、第一の開口４７からのマイクロ波でも第二の開口４８からのマイクロ波でもマグネトロン２６側のインピーダンスと負荷（水２リットル）側のインピーダンスが整合しなくなる。
【００６８】
そこで、この向きにおいては、回転導波管の先端４５からのマイクロ波により整合させる構成としている。これにより、他のコーナーを向く場合も同様なので、約４５度弱、約１３５度強、約２２５度弱、約３１５度強でも整合させることができる。
【００６９】
以上本実施の形態では、第一の開口４７からのマイクロ波により特定の向きで整合し、第二の開口４８からのマイクロ波により他の特定の向きで整合させる構成としている。
【００７０】
これによって、開口が一つの場合よりも整合させる条件を増やすことができるので、より効率的な加熱ができる。
【００７１】
また、第一の開口４７からのマイクロ波および第二の開口４８からのマイクロ波のいずれによっても整合しない回転導波管３０の向きにおいて、回転導波管３０の先端４５からのマイクロ波により整合させる構成としている。
【００７２】
これによって、第一の開口４７、第二の開口４８、先端４５の三つの手段によって回転中に整合させることになるので、従来の三倍の割合で整合させることができ、より効率的な加熱ができる。
【００７３】
また、加熱室の底面を略長方形状とし、回転導波管３０の先端４５が加熱室２７の右壁面や左壁面（短手方向の壁面）を向く場合には第一の開口４７からのマイクロ波により整合させ、回転導波管３０の先端４５が加熱室２７の後壁面や前面（長手方向の壁面）を向く場合には第二の開口４８からのマイクロ波により整合させ、回転導波管３０の先端４５が加熱室２７のコーナーを向く場合には先端４５からのマイクロ波により整合させる構成としている。
【００７４】
これによって、回転導波管３０から壁面までの距離に関して、距離が最も近くなる長手方向の壁面向きと、それよりは少し遠い短手方向の壁面向きと、距離が最も遠くなるコーナー向きとのすべてで整合させることができるので、回転導波管のほとんどの向きで整合させることができ、効率的な加熱ができる。
【００７５】
なお、本実施の形態に限定することは無く、回転導波管３０の先端４５が短手方向の壁面を向く場合、長手方向の壁面を向く場合、コーナーを向く場合のいずれの場合に、第一の開口４７、第二の開口４８、先端４５の三つの手段からのマイクロ波を整合させるかについては、自由に選択、設計すればよい。
【００７６】
さらに、被加熱物の材質、形状、分量などによって負荷側のインピーダンスが変わるので整合状態も変化するが、被加熱物としてごはん一杯（約１５０ｇ程度）に整合させる構成としておけば、一般家庭で使用頻度が高いと思われる食品（たとえば飲み物コップ一杯、味噌汁一杯、魚の切り身一匹ｅｔｃ）もごはん一杯と同程度の軽負荷のため、ほぼ整合させられるということになり効率的な加熱ができる。その結果加熱時間が短くて済むとか、省エネの効果が期待できる。
【産業上の利用可能性】
【００７７】
以上のように本発明によれば、回転導波管の開口からのマイクロ波を利用して加熱室形状に応じて整合させて効率的に加熱することができるので、マイクロ波を使用する調理器具としての電子レンジ、オーブンレンジ、各種誘電体の加熱、解凍装置であるとか、マイクロ波を使用する半導体装置、乾燥装置などの工業分野での加熱装置、陶芸加熱、焼結あるいは生体化学反応等の用途に適用できる。
【図面の簡単な説明】
【００７８】
【図１】本発明の実施の形態１のマイクロ波加熱装置を上から見た、回転導波管が右向きの場合の断面構成図
【図２】同マイクロ波加熱装置を上から見た、回転導波管が右後コーナー向きの場合の断面構成図
【図３】同マイクロ波加熱装置を横から見た断面構成図
【図４】本発明の実施の形態２のマイクロ波加熱装置を横から見た断面構成図
【図５】同マイクロ波加熱装置を上から見た、回転導波管が右向きの場合の断面構成図
【図６】同マイクロ波加熱装置を上から見た、回転導波管が後向きの場合の断面構成図
【図７】同マイクロ波加熱装置を上から見た、回転導波管が右後コーナー向きの場合の断面構成図
【図８】従来のマイクロ波加熱装置を横から見た断面構成図
【図９】同マイクロ波加熱装置を上から見た断面構成図
【図１０】従来の他のマイクロ波加熱装置を横から見た断面構成図
【図１１】同マイクロ波加熱装置を上から見た断面構成図
【図１２】従来の他のマイクロ波加熱装置を上から見た断面構成図
【符号の説明】
【００７９】
２６  マグネトロン（マイクロ波発生手段）
２７  加熱室
２８  結合孔
２９  主導波管
３０  回転導波管
３１、４５  先端
４１  開口
４７  第一の開口
４８  第二の開口
【図１】
2007141538.tif 000003
【図２】
2007141538.tif 000004
【図３】
2007141538.tif 000005
【図４】
2007141538.tif 000006
【図５】
2007141538.tif 000007
【図６】
2007141538.tif 000008
【図７】
2007141538.tif 000009
【図８】
2007141538.tif 000010
【図９】
2007141538.tif 000011
【図１０】
2007141538.tif 000012
【図１１】
2007141538.tif 000013
【図１２】
2007141538.tif 000014